(57)【要約】【課題】数字だけでは把握するのが難しい炭酸ガス濃度の変化を容易に認識し得る炭酸ガス濃度表示装置を提供する。【解決手段】表示部７に例えば炭酸ガスと密接に関係する植物の枝葉や花などをデザイン化したものを図形パターンとしてビジュアルに表示する。表示色は、例えば清浄大気中での炭酸ガス濃度を４００ｐｐｍとして緑に設定し、炭酸ガス濃度がこれより段階的に上昇する毎に赤、黄色などのように変化させる。そして例えば２０００ｐｐｍを超えたときは空気質の改善（換気）を促すアラームをランプの点灯、ブザーの鳴動、音声の出力、あるいは図形パターンの点滅などで報知する。【選択図】図２
2010091218.tif 000002
【特許請求の範囲】
【請求項１】
炭酸ガス濃度を測定する炭酸ガスセンサに表示画面を接続し、
前記炭酸ガスセンサの出力に基づいて前記表示画面に炭酸ガス濃度の変化に応じて段階的に変色する図形パターンを表示することを特徴とする炭酸ガス濃度表示装置。
【請求項２】
前記炭酸ガスセンサを測定室に収容し、測定室には換気手段を設置して成る請求項１記載の炭酸ガス濃度表示装置。
【請求項３】
前記図形パターンが植物の枝葉や花であることを特徴とする請求項１記載の炭酸ガス濃度表示装置。
【請求項４】
前記炭酸ガス濃度が適正時の図形パターンの表示色が緑であることを特徴とする請求項１記載の炭酸ガス濃度表示装置。
【請求項５】
前記炭酸ガス濃度が高くなるにつれ緑から赤、黄色に変色することを特徴とする請求項１記載の炭酸ガス濃度表示装置。
【請求項６】
前記画面がＬＥＤライトパネル、液晶パネル又は有機ＥＬパネルのうちのいずれかであることを特徴とする請求項１記載の炭酸ガス濃度表示装置。
【請求項７】
前記炭酸ガスセンサの測定結果を記録するメモリを備えることを特徴とする請求項１記載の炭酸ガス濃度表示装置。
【請求項８】
前記炭酸ガスセンサの測定結果を外部に伝送するインタフェースを備えることを特徴とする請求項１記載の炭酸ガス濃度表示装置。
【請求項９】
前記炭酸ガスセンサの測定結果が所定値を超えたときはアラームを報知することを特徴とする請求項１記載の炭酸ガス濃度表示装置。
【請求項１０】
前記炭酸ガスセンサを異なる場所に複数台設け、それらの出力を表示画面に切り替え自在に接続して、接続した炭酸ガスセンサの出力に基づき、その場所の炭酸ガス濃度の変化に応じて段階的に変色する図形パターンを表示画面に表示することを特徴とする炭酸ガス濃度表示装置。
【発明の詳細な説明】
【技術分野】
【０００１】
本発明は、炭酸ガス濃度など環境条件の変化を表示する環境条件表示技術に関する。
【背景技術】
【０００２】
近年、建物の気密性が増すにつれ、家庭や職場において暖房や人の呼吸によって生じる炭酸ガスが室内に充満しやすくなっている。
室内の空気環境を快適なものにするためには、換気をして室内の空気と外の空気を入れ換えることが大切になる。そのため室内空気の汚染検知などを目的とした炭酸ガス測定器に対するニーズが高まっている。
【０００３】
ところが従来の炭酸ガス測定器は測定値を数字で表示するのが一般的なため、それを室内に設置して画面に測定値を表示しても、時計や温度計のように見慣れたものでないので環境条件の変化を直ぐには認識できない。また、炭酸ガスは温度や湿度のようにその濃度変化を体感することができない。そのため炭酸ガスが規定以上の濃度に達しても、それに気付かず換気されない危険性があった。
【発明の開示】
【発明が解決しようとする課題】
【０００４】
解決しようとする問題点は以上のような点であり、本発明は、数字だけでは把握するのが難しい炭酸ガス濃度の変化を容易に認識し得る炭酸ガス濃度表示装置を提供することを目的になされたものである。
【課題を解決するための手段】
【０００５】
そのため本発明は、炭酸ガス濃度を測定する炭酸ガスセンサに表示画面を接続し、前記炭酸ガスセンサの出力に基づいて前記表示画面に炭酸ガス濃度の変化に応じて段階的に変色する図形パターンを表示することを最も主要な特徴とする。
【発明の効果】
【０００６】
本発明は、画面上に炭酸ガス濃度の変化に応じて段階的に変色する図形パターンを表示するので、視認性が高まり、ひと目で炭酸ガス濃度の変化を認識できるようになる。
【発明を実施するための最良の形態】
【０００７】
以下、本発明の実施の形態について説明する。
【０００８】
図１に、本発明を実施した炭酸ガス濃度表示装置のブロック図を示す。
炭酸ガス濃度表示装置は、測定室１に炭酸ガスセンサ２を設置してセンサ出力をアンプ３で増幅し、Ａ／Ｄ変換器４でデジタル信号に変換してＣＰＵ５に入力する。
測定室１と炭酸ガスセンサ２は複数台を室内の異なる場所にそれぞれ配置してＣＰＵ５と無線などで接続し、それらの測定データの平均値を測定結果としてもよい。
これにより一箇所に片寄ることなく室内全体の炭酸ガス濃度を総括的に把握できる。
【０００９】
測定室１は、設置場所の雰囲気を測定室１に導入する吸気管１１と、測定室１の空気を外に排出する排気管１２を接続し、排気管１２内にファン１３を取り付ける。
炭酸ガスセンサ２は、赤外線吸収式やガラス電極式に比べて小型で安価な固体電解質型センサを用いる。固体電解質型センサは、イオン導電性を有する固体電解質の両面に一対の電極を形成し、一方の電極が二酸化炭素と接触したときに２つの電極間で発生する導電イオンの濃度差に基づく起電力の変化を検出することによって炭酸ガス濃度を測定する。
【００１０】
ＣＰＵ５は、ＲＯＭ５１に格納されたプログラムを実行して操作部６からの入力処理、表示部７への出力処理、インタフェース部８への送出処理を行う。また、炭酸ガス濃度の測定データをＲＡＭ５２に記録する。
【００１１】
操作部６は、各種のスイッチ類からなり、基準濃度の設定、表示色の段階別設定などを行う。
表示部７は、フォトフレーム型のＬＥＤライトパネル、液晶パネル、有機ＥＬパネルなどで構成し、炭酸ガス濃度、温度、湿度を表示する他、炭酸ガス濃度の変化に応じて段階的に変色する図形パターンを表示する。
温度、湿度を表示する場合は、炭酸ガスセンサ２の他に温度・湿度センサをＣＰＵ５に接続する必要がある。
【００１２】
図形パターンは、図２に示すように、例えば炭酸ガスと密接に関係する植物の枝葉や花などをデザイン化したものをビジュアルに表示する。
表示色は、例えば清浄大気中での炭酸ガス濃度を４００ｐｐｍとして緑に設定し、炭酸ガス濃度がこれより段階的に上昇する毎に赤、黄色などのように変化させる。そして例えば２０００ｐｐｍを超えたときは空気質の改善（換気）を促すアラームをランプの点灯、ブザーの鳴動、音声の出力、あるいは図形パターンの点滅などによって報知する。
清浄大気中での表示色を緑に設定することで、それを見る人の視覚疲労を回復し、緊張感を和らげて作業効率をアップさせる効果がある。
【００１３】
インタフェース部８は、ＲＡＭ５２に記録した測定データをシリアルデータに変換して外部デバイスに送出する。これによりこの装置をパソコンに接続して炭酸ガス濃度の経年変化をグラフ化したり、分析することができるようになる。
また、ＬＡＮなどを介して測定データを監視センタなどに送信することも可能になる。
これにより異常があった場合などのセキュリティに対応できる。
【００１４】
別の実施例として炭酸ガスセンサを複数台用意し、同じ室内の違う場所に離して設置する。たとえば炭酸ガスセンサ２を２台用意し、炊事用のガスレンジの傍と窓際の観葉植物の傍に設置する。そしてこれらセンサ２を同じ表示部７に切り替え自在に接続し、表示部７の近傍に備えるスイッチを操作してセンサ２を切り替えることにより、表示部７にガスレンジの傍と窓際の炭酸ガス濃度に応じた色の図形パターンを表示する。これにより炭酸ガス濃度が場所により違うことを的確に知ることができる。
この場合、接続したセンサの出力からガス濃度の差分を演算し、それを表示部７に数字で表示すれば、室内の濃度分布差を知ることができ、濃度分布差の数値が適正域を越えたとき警報を鳴らすようにすれば、異常を迅速に知ることができる。
【図面の簡単な説明】
【００１５】
【図１】本発明を実施した炭酸ガス濃度表示装置のブロック図である。
【図２】表示部の画像サンプルである。
【符号の説明】
【００１６】
１      測定室
１１    吸気管
１２    排気管
１３    ファン
２      炭酸ガスセンサ
３      アンプ
４      Ａ／Ｄ変換器
５      ＣＰＵ
５１    ＲＯＭ
５２    ＲＡＭ
６      操作部
７      表示部
８      インタフェース部
【図１】
2010091218.tif 000003
【図２】
2010091218.tif 000004